(57)【要約】【課題】  レジスタから吹き出す気流の偏向を良好にできるようにすることである。【解決手段】  レジスタ１０内に送り込まれた気流を空気吹出口から吹き出すレジスタ１０であって、前記空気吹出口から吹き出す気流の方向を偏向させる水平の可動フィン群がレジスタ１０内に配置され、前記空気吹出口を複数の部分に区分する水平の固定フィン１３の後側に前記可動フィン群が配置され、前記可動フィン群の各可動フィン２１の回転軸２３が固定フィン１３側に変位していること。さらに、各可動フィン２１の両方の側面側において各可動フィン２１の回転軸２３が固定フィン１３側に変位した状態で配設されていること。【選択図】        図２
2006170509.tif 000002
【特許請求の範囲】
【請求項１】
レジスタ内に送り込まれた気流を空気吹出口から吹き出すレジスタであって、前記空気吹出口から吹き出す気流の方向を偏向させる可動フィン群がレジスタ内に配置されているレジスタにおいて、
前記空気吹出口を複数の部分に区分する固定フィンの後側に前記可動フィン群が配置され、前記可動フィン群の各可動フィンの回転軸が前記固定フィン側に変位していることを特徴とするレジスタ。
【請求項２】
請求項１に記載したレジスタであって、
前記各可動フィンの両方の側面側において前記各可動フィンの回転軸が前記固定フィン側に変位した状態で配設されていることを特徴とするレジスタ。
【発明の詳細な説明】
【技術分野】
【０００１】
本発明は、気流を空気吹出口から吹き出すレジスタに関し、特に、レジスタから吹き出す気流の志向性を向上させたレジスタに関するものである。
【背景技術】
【０００２】
従来、自動車のインストルメントパネル等には、レジスタが設けられている。このレジスタは空調装置の温風、冷風等の気流の吹き出し方向を偏向するものである。図８〜図１２はこのレジスタの従来例を示す（例えば特許文献１）。図８はレジスタの外観を示し、図９は図８のＤ−Ｄ断面を示し、図１０は分解した状態を示し、図１１は動作を説明し、図１２は操作ノブを示す。
図８に示すように、レジスタ５０のベゼル５１には空気吹出口５２が形成され、空気吹出口５２にはグリル状の水平の固定フィン５３が形成されている。この固定フィン５３の後側に隣接する複数の水平の可動フィン６１を有する可動フィン群６０が配設され、図１０に示すように、各可動フィン６１の回転軸６２（回転中心６２ａ）は各可動フィン６１の前端に設けられている。
なお、各可動フィン６１は、図示しないリンク機構により相互に連結されているので、図８に示すように、中央の固定フィン５３および可動フィン６１に係合した操作ノブ６３（図示しない垂直可動フィンの操作のための連結部６４を備えている（図１２参照）。）を操作することにより、各可動フィン６１は同時に回動し、図１１に示すように、気流７０を偏向させる。なお、図９および図１０に示すように、各回転軸６２はリテーナ５６の側壁５７（図１参照）の前端に形成された軸受５７ａにより回動自在に保持されている。
【特許文献１】特開昭６１−４９９６２号公報
【発明の開示】
【発明が解決しようとする課題】
【０００３】
しかし、上述の従来例では、図１１に示すように、可動フィン６１で偏向された気流７０が固定フィン５３により乱されるので、気流７０の偏向が良好ではなかった。
そこで、本発明が解決しようとする課題は、気流の偏向を良好にできるようにすることである。
【課題を解決するための手段】
【０００４】
上記課題を解決するため、請求項１記載の発明は、レジスタ内に送り込まれた気流を空気吹出口から吹き出すレジスタであって、前記空気吹出口から吹き出す気流の方向を偏向させる可動フィン群がレジスタ内に配置されているレジスタにおいて、前記空気吹出口を複数の部分に区分する固定フィンの後側に前記可動フィン群が配置され、前記可動フィン群の各可動フィンの回転軸が前記固定フィン側に変位していることを特徴とするレジスタである。
これにより、レジスタの空気吹出口から吹き出す気流の方向を偏向させる可動フィン群がレジスタ内にて前記空気吹出口を複数の部分に区分する固定フィンの後側に配置され、前記可動フィン群の各可動フィンの回転軸が前記固定フィン側に変位しているので、前記可動フィン群の各可動フィンがその回転軸により回転したときに、各可動フィンで偏向された気流の向きが固定フィンにより前記偏向前の状態に戻される程度が少なくなる。
【０００５】
さらに、請求項２記載の発明は、請求項１に記載したレジスタであって、前記各可動フィンの両方の側面側において前記各可動フィンの回転軸が前記固定フィン側に変位した状態で配設されていることである。
これにより、前記各可動フィンの両方の側面側において前記各可動フィンの回転軸が前記固定フィン側に変位した状態で配設されているので、固定フィンに妨げられずに、請求項１記載のように前記各可動フィンの回転軸を固定フィン側に変位させることが容易になる。
【発明の効果】
【０００６】
請求項１記載の発明によれば、レジスタの空気吹出口から吹き出る気流を可動フィンにより偏向させることが容易になる。
さらに、請求項２記載の発明によれば、請求項１記載の発明の効果とともに、請求項１記載のレジスタを構成することが容易になる。
【発明を実施するための最良の形態】
【０００７】
以下、本発明における実施の形態を図面に基づいて説明する。
図１は本発明の実施の形態に係わるレジスタの外観を示し、図２は図１のＡ−Ａ断面を示し、図３は図１のＢ−Ｂ断面を示し、図４は図２のＣ−Ｃ断面を示す。さらに、図５は図１の内部の分解した状態を示し、図６は図１のレジスタの動作状態を示し、図７は図１のレジスタの操作ノブを示す。
【０００８】
図１に示すように、レジスタ１０内に送り込まれた気流４０（図３参照）をベゼル１１の空気吹出口１２から吹き出すレジスタ１０において、空気吹出口１２を複数の部分に区分する水平の固定フィン１３（ベゼル１１と一体に形成されている。）の後側（この場合内側となる。）に隣接した水平の可動フィン群２０がレジスタ１０内に配置されている。なお、可動フィン群２０の水平の各可動フィン２１は各固定フィン１３の後側に隣接して配設されている。
【０００９】
図２および図５に示すように、可動フィン群２０の各可動フィン２１の回転軸２３が固定フィン１３側に変位している。この場合、各可動フィン２１の両方の側面（２１ａ等）側において各可動フィン２１の回転軸２３が固定フィン１３側に変位した状態で配設されている。なお、各可動フィン２１の右側の側面２１ａ側のみが図示されているが、各可動フィン２１の左側の側面側も同様である。
具体的には、各可動フィン２１の側面２１ａに張出部２２が形成され、張出部２２の前側（図１の空気吹出口１２側）の端部に回転軸２３が一体に形成されている。各回転軸２３の位置は可動フィン２１の前側の端部よりも固定フィン１３側に突出するように変位している。
【００１０】
また、図４に示すように、各回転軸２３はリテーナ１５の側壁１６の前端に形成された軸受１６ａ（ベゼル１１の裏面と側壁１６の前端に形成された凹部とによりなる軸受）により回動自在に保持されている。なお、軸受１６はベゼル１１の両方の側端部１４ａ、１４ｂ（図１参照）に対応する側壁１６の前端とベゼル１１の裏面との間に形成されている。このため、固定フィン１３の両側に位置する回転軸２３の両端は軸受１６で回動可能に保持されている。
また、図５に示すように、側壁１６の内面には軸受１６ａを中心とする扇型の切欠１６ｂが形成され、この切欠１６ｂ内にて張出部２２が可動フィン２１の回動により回動する。このため、可動フィン２１の回動できる角度の範囲は扇型の切欠１６ｂの範囲内に限定される。
【００１１】
なお、各可動フィン２１は、図示しないリンク機構により相互に連結されているので、図１に示す中央の固定フィン１３および可動フィン２１に係合した操作ノブ３０を手で操作することにより、各可動フィン２１は同時に回動し、気流４０を偏向させる（図６参照）。このとき、可動フィン２１を回転軸２３（図５参照）の回転中心２３ａを中心として回動させて、空気吹出口１２から吹出す気流４０の向きを上下に偏向させることができる。
なお、図７に示すように操作ノブ３０の後部に付設されている溝付きの連結部３１は図示しない垂直の可動フィンを操作するためのものである。
【００１２】
以上の構成のレジスタ１０は以下のように動作する。
レジスタ１０の空気吹出口１２から吹き出す気流４０の方向を偏向させる可動フィン群２０がレジスタ１０内にて空気吹出口１２を複数の部分に区分する固定フィン１３の後側に配置され、可動フィン群２０の各可動フィン２１の回転軸２３が固定フィン１３側に変位しているので、図６に示すように、可動フィン群２０の各可動フィン２１がその回転軸２３（回転中心２３ａ）により回転したときに、各可動フィン２１で偏向された気流４０の向きが固定フィン１３により前記偏向前の状態に戻される程度が少なくなる。なお、図６において、３２は水平線であり、３３は垂直線である。
さらに、各可動フィン２１の両方の側面（２１ａ等）側において各可動フィン２１の回転軸２３が固定フィン１３側に変位した状態で配設されているので、固定フィン１３に妨げられずに、各可動フィン２１の回転軸２３を固定フィン１３側に変位させることが容易になる。
さらに、本願発明のレジスタ１０では図７に示すように操作ノブ３０の形状が従来の操作ノブ６３（図１２参照）の形状よりも小さくなる。このため、レジスタ１０から吹き出る気流４０の指向性およびレジスタ１０の騒音が向上する。
【００１３】
なお、上記実施の形態において、水平の固定フィンの後に水平の可動フィンが配設されているが、これに限定されず、垂直の固定フィンの後に垂直の可動フィンを配設するようにしてもよい。
【図面の簡単な説明】
【００１４】
【図１】本発明の実施の形態に係わるレジスタの外観の斜視図である。
【図２】図１のＡ−Ａ断面図である。
【図３】図１のＢ−Ｂ断面図である。
【図４】図２のＣ−Ｃ断面図である。
【図５】図１のレジスタの内部の分解した状態を示す斜視図である。
【図６】図１のレジスタの動作状態を示す説明図である。
【図７】図１のレジスタの操作ノブを示す斜視図である。
【図８】従来のレジスタの外観を示す斜視図である。
【図９】図８のＤ−Ｄ断面図である。
【図１０】図８のレジスタの分解した状態を示す斜視図である。
【図１１】図８のレジスタの動作を説明する説明図である。
【図１２】図８のレジスタの操作ノブを示す斜視図である。
【符号の説明】
【００１５】
１０  レジスタ
１２  空気吹出口
１３  固定フィン
２０  可動フィン群
２１  可動フィン
２１ａ  側面
２３  回転軸
４０  気流
【図１】
2006170509.tif 000003
【図２】
2006170509.tif 000004
【図３】
2006170509.tif 000005
【図４】
2006170509.tif 000006
【図５】
2006170509.tif 000007
【図６】
2006170509.tif 000008
【図７】
2006170509.tif 000009
【図８】
2006170509.tif 000010
【図９】
2006170509.tif 000011
【図１０】
2006170509.tif 000012
【図１１】
2006170509.tif 000013
【図１２】
2006170509.tif 000014